(57)【要約】  本発明は保護ヘルメットに関する。本発明の実施形態は、保護ヘルメット、保護ヘルメット構成要素、保護ヘルメットを製造するための方法を提供するように主に開発され、拡大可能ベル開口を有する保護ヘルメットを含む。例えば、実施形態は、人間の頭部の挿入又は取り外しを可能にするベル開口の拡大を可能にするヒンジ接続を有する２つの部分のヘルメットを参照して説明される。一実施形態は製造方法を提供し、それによって保護ヘルメットは、単一部品として形成され、そして相互連結エッジ部材がその後に適用されるシェル部分に切断され、それにより相互連結エッジに沿ったシェルの再接続を容易にする。
2019504940.tif 000002
【特許請求の範囲】
【請求項１】
ヘルメットの製造方法であって、
基本ヘルメットシェルを形成することであって、ベル開口エッジによって定められるベル開口を前記ヘルメットシェルが有することと、
前記基本ヘルメットシェルに切断加工を適用し、それにより第１のシェル構成要素及び第２のシェル構成要素を定めて、前記第１のシェル構成要素及び前記第２のシェル構成要素の各々が前記ベル開口エッジのそれぞれの領域を含むことと、
前記第１のシェル構成要素及び前記第２のシェル構成要素のうちの少なくとも一方に関し、前記切断加工によって定められるエッジである前記シェル構成要素のエッジに対して少なくとも１つの相互連結エッジ部材を取り付けることと、
前記少なくとも１つの相互連結エッジ部材が取り付けられる前記第１のシェル構成要素及び前記第２のシェル構成要素のうちの少なくとも１つを含むヘルメットを組み立てることと、を含み、組み立てられた前記ヘルメットは：（ｉ）前記少なくとも１つの相互連結エッジ部材が相補的な対向する相互連結エッジと係合する閉じられた構成と；（ｉｉ）開かれた構成と、の間で可動である方法。
【請求項２】
前記第１のシェル構成要素及び前記第２のシェル構成要素のうちの少なくとも１つの各々に関し、前記切断加工によって定められるエッジである前記シェル構成要素のエッジに対して少なくとも１つの相互連結エッジ部材を取り付けることと、
前記第１のシェル構成要素及び前記第２のシェル構成要素を含むヘルメットを組み立てることとを含み、組み立てられた前記ヘルメットは：（ｉ）前記第１のシェル構成要素及び前記第２のシェル構成要素の少なく１つの相互連結エッジ部材のそれぞれが相補的に係合する閉じられた構成と；（ｉｉ）開かれた構成と、の間で可動である、請求項１に記載の方法。
【請求項３】
前記第１のシェル構成要素及び前記第２のシェル構成要素のうちの少なくとも１つの各々に関し、前記切断加工によって定められるエッジである前記シェル構成要素のエッジに対して相互連結エッジ部材のペアを取り付けることと、
前記第１のシェル構成要素及び前記第２のシェル構成要素を含むヘルメットを組み立てることとを含み、組み立てられた前記ヘルメットは：（ｉ）前記第１のシェル構成要素の相互連結エッジ部材のペアが前記第２のシェル構成要素の相互連結エッジ部材のペアと相補的に係合する閉じられた構成と；（ｉｉ）開かれた構成と、の間で可動である、請求項２に記載の方法。
【請求項４】
前記切断加工は、現在のプロセスによって定められる前記第１のシェルのエッジと、前記切断加工によって定められる前記第２のシェルのエッジと、の間に定められる１つ以上のシェル領域を除去することを含む、請求項２に記載の方法。
【請求項５】
除去されたシェル領域のうちの少なくとも１つは、前記ヘルメットが前記閉じられた構成にある場合に前記第１のシェル構成要素と前記第２のシェル構成要素との間の幅寸法に実質的に対応する幅寸法を有する、請求項４に記載の方法。
【請求項６】
前記第１のシェル構成要素に対して取り付けられる前記少なくとも１つの相互連結エッジ部材は、前記ヘルメットが前記閉じられた構成にある場合に前記第２のシェル構成要素に対して取り付けられる前記少なくとも１つの相互連結エッジ部材の相補的な雌領域と相互連結する雄領域を含む、請求項２に記載の方法。
【請求項７】
前記ヘルメットは、前記第２のシェル構成要素に対する前記第１のシェル構成要素の相対回転を可能にするように構成されるヒンジアセンブリを含み、それによって前記ベル開口の拡大を可能にする、請求項２に記載の方法。
【請求項８】
前記ヘルメットは、前記閉じられた構成における前記ヘルメットの固定を可能にする少なくとも１つのラッチアセンブリを含む、請求項７に記載の方法。
【請求項９】
前記少なくとも１つの相互連結エッジ部材は、前記ヒンジアセンブリ及び前記少なくとも１つのラッチアセンブリの中間の前記切断加工によって定められるエッジ領域に沿って前記第１のシェル構成要素に対して取り付けられる、請求項８に記載の方法。
【請求項１０】
前記少なくとも１つの相互連結エッジ構成要素は、弾力材料で形成される、請求項１に記載の方法。
【請求項１１】
ヘルメットを製造する方法であって、
基本ヘルメットシェルを形成することであって、ベル開口エッジによって定められるベル開口を前記ヘルメットシェルが有することと、
前記基本ヘルメットシェルに切断加工を適用し、それにより第１のシェル構成要素及び第２のシェル構成要素を定めることと、
前記第１のシェル構成要素及び前記第２のシェル構成要素のうちの少なくとも一方に関し、前記切断加工によって定められるエッジである前記シェル構成要素のエッジに対して少なくとも１つの相互連結エッジ部材を取り付けることと、
前記少なくとも１つの相互連結エッジ部材が取り付けられる前記第１のシェル構成要素及び前記第２のシェル構成要素のうちの少なくとも一方を含むヘルメットを組み立てることと、を含む、方法。
【請求項１２】
前記第１のシェル構成要素及び前記第２のシェル構成要素のうちの少なくとも一方の各々に関し、前記切断加工によって定められるエッジである前記シェル構成要素のエッジに対して少なくとも１つの相互連結エッジ部材を取り付けることと、
前記第１のシェル構成要素及び前記第２のシェル構成要素を含むヘルメットを組み立てることと、を含む請求項１１に記載の方法。
【請求項１３】
請求項１２に記載の方法であって、含む：
【請求項１４】
前記第１のシェル構成要素及び前記第２のシェル構成要素のうちの少なくとも一方の各々に関し、前記切断加工によって定められるエッジである前記シェル構成要素のエッジに対して相互連結エッジ部材のペアを取り付けること。
【請求項１５】
前記切断加工は、現在のプロセスによって定められる前記第１のシェルのエッジと、前記切断加工によって定められる前記第２のシェルのエッジと、の間に定められる１つ以上のシェル領域を除去することを含む、請求項１２に記載の方法。
【請求項１６】
除去された前記シェル領域のうちの少なくとも１つは、前記ヘルメットが閉じられた構成にある場合の前記第１のシェル構成要素と前記第２のシェル構成要素との間の幅寸法に実質的に対応する幅寸法を有する、請求項１４に記載の方法。
【請求項１７】
前記第１のシェル構成要素に対して取り付けられる前記少なくとも１つの相互連結エッジ部材は、前記ヘルメットが閉じられた構成にある場合に前記第２のシェル構成要素に対して取り付けられる前記少なくとも１つの相互連結エッジ部材の相補的な雌領域と相互連結する雄領域を含む、請求項１２に記載の方法。
【請求項１８】
前記ヘルメットは、前記第２のシェル構成要素に対する前記第１のシェル構成要素の相対回転を可能にするように構成されるヒンジアセンブリを含み、それによって前記ベル開口の拡大を可能にする、請求項１２に記載の方法。
【請求項１９】
前記ヘルメットは、前記閉じられた構成における前記ヘルメットの固定を可能にする少なくとも１つのラッチアセンブリを含む、請求項１７に記載の方法。
【請求項２０】
前記少なくとも１つの相互連結エッジ部材は、前記ヒンジアセンブリ及び前記少なくとも１つのラッチアセンブリの中間の前記切断加工によって定められるエッジ領域に沿って前記第１のシェル構成要素に対して取り付けられる、請求項１８に記載の方法。
【請求項２１】
前記少なくとも１つの相互連結エッジ構成要素は、弾力材料で形成される、請求項１１に記載の方法。
【請求項２２】
請求項１〜２１のいずれか一項に記載の方法によって形成されるヘルメット。
【請求項２３】
ヘルメットシェル構成要素とは独立して形成される少なくとも１つの相互連結エッジ構成要素を有する拡大可能ベル開口ヘルメットであって、それは当該ヘルメットシェル構成要素に対して固定的に取り付けられ、前記ヘルメットは：（ｉ）前記少なくとも１つの相互連結エッジ部材が相補的な対向する相互連結エッジと係合する閉じられた構成と；（ｉｉ）開かれた構成と、の間を可動である、拡大可能ベル開口ヘルメット。
【請求項２４】
２つのシェルから形成される複合ヘルメットであって、前記シェルはそれぞれの相互連結エッジに沿って係合する複合ヘルメット。
【請求項２５】
前記シェルのうちの少なくとも１つが、前記シェルに対する相互連結エッジ構成要素の取り付けとして、そのそれぞれの相互連結エッジを提供する、請求項２３に記載のヘルメット。
【請求項２６】
拡大可能ベル開口ヘルメットのためのラッチアセンブリであって、
拡大可能ベル開口ヘルメットの第１のシェル構成要素に対して取り付けられるように構成される第１のセットのラッチアセンブリ構成要素と、
前記拡大可能ベル開口ヘルメットの第２のシェル構成要素に対して取り付けられるように構成される第２のセットのラッチアセンブリ構成要素と、を含み、
前記第１のシェルは前記第２のシェルに対して可動であり、それにより前記ヘルメットのための開かれた及び閉じられた構成を定め、前記開かれた構成において前記ベル開口は拡大され、前記閉じられた構成において前記第１のセットのラッチアセンブリ構成要素は前記第２のセットのラッチアセンブリ構成要素と相互作用し、それにより閉じられた構成における前記ヘルメットをロックし、
前記第１のセットのラッチアセンブリ構成要素は：（ｉ）トラップ可能部材受け入れ領域であって、トラップ可能部材をトラップ可能部材受け入れ領域内に案内するように構成される先細エッジを含むトラップ可能部材受け入れ領域と；（ｉｉ）付勢される捕捉機構であって、ばね荷重の影響下でトラップ可能部材受け入れ領域におけるトラップ可能部材の取り外しを防ぐように構成される付勢される捕捉機構と、を含み、
前記第２のセットのラッチアセンブリ構成要素は、前記トラップ可能部材を提供する第１のプレート部材を含む、ラッチアセンブリ。
【請求項２７】
前記付勢される捕捉機構は、そのトラップ可能部材が前記トラップ可能部材受け入れ領域に向かって進行する際に、トラップ可能部材との係合時にばね荷重の方向に抗して移動するように構成され、それによって前記トラップ可能部材受け入れ領域における前記トラップ可能部材の自動化された挿入及び捕捉を可能にする、請求項２６に記載のラッチアセンブリ。
【請求項２８】
前記トラップ可能部材受け入れ領域は、前記第１のヘルメットシェル構成要素に対して取り付けられるように構成される第２のプレート部材によって定められ、前記付勢される捕捉機構は、前記第２のプレート部材に対して回転で取り付けられる、請求項２６に記載のラッチアセンブリ。
【請求項２９】
前記付勢される捕捉機構はボタン構成要素を含み、当該ボタン構成要素は手動で操作されるように構成され、それによってばね荷重の方向に抗して前記付勢される捕捉機構を動かすことを可能にし、それによって前記トラップ可能部材受け入れ領域からの前記トラップ可能部材の取り外しを可能にする、請求項２８に記載のラッチアセンブリ。
【請求項３０】
係合の際に、前記第１のプレート部材及び前記第２のプレート部材は、前記付勢される捕捉機構のガイドプレート部材を矯正して挟む、請求項２８に記載のラッチアセンブリ。
【請求項３１】
前記トラップ可能部材は、前記トラップ可能部材受け入れ領域において捕捉される前記第１のプレートから延びる第１の半径の領域と、前記第１の半径の領域から延びる第２の半径の領域と、を含み、前記第２の半径の領域と前記ガイドプレートとは、前記第２のプレート部材を集合的に挟む、請求項３０に記載のラッチアセンブリ。
【請求項３２】
前記第１のセットのラッチアセンブリ構成要素は第１の非ロック捕捉機構を含み、前記第１の非ロック捕捉機構は、ロックラッチアセンブリ構成要素から離れた位置で前記第１のヘルメットシェル構成要素に対して取り付けられるように構成され、
前記第２のセットのラッチアセンブリ構成要素は第２の非ロック捕捉機構を含み、前記第２の非ロック捕捉機構は、前記第１の非ロック捕捉機構と係合するように構成され、前記第２の非ロック捕捉機構は、ロックラッチアセンブリ構成要素から離れた位置で前記第１のヘルメットシェル構成要素に対して取り付けられるように構成され、
使用において、前記第１の非ロックラッチアセンブリ構成要素及び前記第２の非ロックラッチアセンブリ構成要素は前記ヘルメットが閉じられる際に係合し、それによって少なくとも第１の軸及び第２の軸に沿った前記ヘルメットシェル構成要素の相対移動を制限し、前記第１の軸はシェルエッジに対して実質的に平行であり、前記第２の軸はシェル面に対して実質的に垂直である、請求項２６〜３１のいずれか一項に記載のラッチアセンブリ。
【請求項３３】
前記第１の非ロックラッチ構成要素及び前記第２の非ロックラッチ構成要素は、突起体及び突起体捕捉ループを含む、請求項３２に記載のラッチアセンブリ。
【請求項３４】
拡大可能ベル開口ヘルメットのためのラッチアセンブリであって、
前記拡大可能ベル開口ヘルメットの第１のシェル構成要素に対して取り付けられるように構成される第１のセットのラッチアセンブリ構成要素と、
前記拡大可能ベル開口ヘルメットの第２のシェル構成要素に対して取り付けられるように構成される第２のセットのラッチアセンブリ構成要素と、を含み、
前記第１のシェルは前記第２のシェルに対して可動であり、それにより前記ヘルメットのための開かれた及び閉じられた構成を定め、前記開かれた構成において前記ベル開口は拡大され、前記閉じられた構成において前記第１のセットのラッチアセンブリ構成要素は前記第２のセットのラッチアセンブリ構成要素と相互作用し、それにより前記閉じられた構成において前記ヘルメットをロックし、
前記第１のセットのラッチアセンブリ構成要素は、第１のロック可能構成要素を含み、
前記第２のセットのラッチアセンブリ構成要素は、前記ヘルメットが閉じられた際に前記第１のロック可能構成要素に対してロックするように構成される第２のロック可能構成要素を含み、
前記第１のセットのラッチアセンブリ構成要素は第１の非ロック捕捉機構を含み、前記第１の非ロック捕捉機構は、前記第１のロック可能構成要素から離れた位置において前記第１のヘルメットシェル構成要素に対して取り付けられるように構成され、
前記第２のセットのラッチアセンブリ構成要素は第２の非ロック捕捉機構を含み、前記第２の非ロック捕捉機構は、前記第１の非ロック捕捉機構と係合するように構成され、前記第２の非ロック捕捉機構は、前記第２のロック構成要素から離れた位置で前記第１のヘルメットシェル構成要素に対して取り付けられるように構成され、
使用において、前記第１の非ロックラッチアセンブリ構成要素及び前記第２の非ロックラッチアセンブリ構成要素は前記ヘルメットが閉じられる際に係合し、それによって少なくとも第１の軸及び第２の軸に沿った前記ヘルメットシェル構成要素の相対移動を制限し、前記第１の軸はシェルエッジに対して実質的に平行であり、前記第２の軸はシェル面に対して実質的に垂直である、ラッチアセンブリ。
【請求項３５】
前記第１の非ロックラッチ構成要素及び前記第２の非ロックラッチ構成要素は、突起体及び突起体捕捉ループを含む、請求項３４に記載のラッチアセンブリ。
【請求項３６】
前記付勢される捕捉機構はばね構成要素によって付勢されている請求項３４に記載のラッチアセンブリ。
【請求項３７】
請求項２６〜３６のいずれか一項に記載のラッチアセンブリを含むヘルメット。
【請求項３８】
拡大可能ベル開口ヘルメットのためのヒンジアセンブリであって、
前記拡大可能ベル開口ヘルメットの第１のシェル構成要素に対して取り付けられるように構成される第１のセットのヒンジアセンブリ構成要素と、
前記拡大可能ベル開口ヘルメットの第２のシェル構成要素に対して取り付けられるように構成される第２のセットのヒンジアセンブリ構成要素と、を含み、前記１のセットのヒンジ構成要素は、前記第２のセットのヒンジ構成要素と係合するように構成され、それによってヒンジ軸の周りを回転するヒンジを定め、
前記第１のシェルは前記第２のシェルに対して可動であり、それによって前記ヘルメットのための開かれた及び閉じられた構成を定め、
前記第１のセットのヒンジアセンブリ構成要素及び前記第２のセットのヒンジアセンブリ構成要素は、それぞれのシェル構成要素に対して取り付けられて、ヒンジ接続を提供し、前記ヒンジ軸の周りにおける前記第２のシェルに対する前記第１のシェルの移動を可能にする、ヒンジアセンブリ。
【請求項３９】
前記第１のセットのヒンジアセンブリ構成要素及び前記第２のセットのヒンジアセンブリ構成要素は、各々、それぞれの複数の平行なリブを含み、前記リブは多層サンドイッチ構造で相互係合する、請求項３８に記載のヒンジアセンブリ。
【請求項４０】
前記ヒンジアセンブリ構成要素のセットのうちの１つの前記複数の平行なリブは、ヒンジピンの軸方向又は横方向の挿入／取り外しを可能にする形状であり、前記ヒンジアセンブリの構成要素のセットのうちの１つの前記複数の平行なリブは、ヒンジピンの軸方向の挿入／取り外しを可能にし且つヒンジピンの横方向の挿入／取り外しを防ぐ形状である、請求項３９に記載のヒンジアセンブリ。
【請求項４１】
前記ヒンジピンの横方向の取り外しを可能にすることは、前記シェル構成要素からの前記ヒンジアセンブリ構成要素のうちの１つの取り外しを可能にして、それにより前記第２のセットのヒンジアセンブリ構成要素から前記第１のセットのヒンジアセンブリ構成要素を係合解除する、請求項４０に記載のヒンジアセンブリ。
【請求項４２】
定められた閉じたヘルメットヒンジアセンブリ位置から抜け出すように前記ヒンジアセンブリを弾性的に付勢するように構成されるエラストマーばねを含む、請求項３８に記載のヒンジアセンブリ。
【請求項４３】
請求項３８〜４２のいずれか一項に記載のヒンジアセンブリを含むヘルメット。
【発明の詳細な説明】
【技術分野】
【０００１】
本発明は、保護ヘルメットに関する。本発明の実施形態は、保護ヘルメット、保護ヘルメット構成要素、及び拡大可能ベル開口を有する保護ヘルメットを含む保護ヘルメットを製造するための方法を提供するために主に開発された。例えば、実施形態は、人間の頭部の挿入又は取り外しを可能にするようにベル開口の拡大を可能にするヒンジ接続を有する２つの部分のヘルメットを参照して説明される。
【背景技術】
【０００２】
本明細書中の先行技術に関する議論は、そのような先行技術が広く知られていること又は当分野における一般的な知識の一部を形成することを認めるものとしては、少しもみなされないべきである。
【０００３】
ＰＣＴ公報ＷＯ２０１２／０５８７１２及びＷＯ２００７／０５９５７５の両者は、拡大可能ベル開口を有する保護ヘルメットの例を開示する。より具体的には、それらの公報は、ヒンジ付きの後方開口保護ヘルメットに注目しており、そこでは前方及び後方シェルがお互いに対して回転して開かれた構成及び閉じられた構成を提供し、当該開口構成においてヘルメットは適用又は取り外しが可能であり、当該閉じられた構成においてそれは着用者の頭部に固定される。この開口行為はヘルメットのベル開口を拡大して、頭部の便利な挿入を可能にする。いくつかの実施形態では、ベル開口は、それによって、閉じられた構成（制限されたベル開口ヘルメットと呼ばれる）における際のヘルメットの取り外しを防止するような大きさにされる。拡大可能な（及び／又は制限された）ベル開口ヘルメットの他の形態も可能であり、例えば、２つのシェルが背部ヒンジ以外の構成によって接続される。
【０００４】
拡大可能ベル開口を有するヘルメットの組み立てに関連する様々な技術的課題がある。例えば：
・  ２つの部品ヘルメットの製造の間に、（射出成形などとは対照的に）特に複合シェル材料を使用することが望まれる場合、技術的課題が生じる。特に、別個に形成された前方シェル及び後方シェルを正確にサイズ合わせすることは難しい。
・  拡大可能な（及び／又は制限された）ベル開口ヘルメットの形態、及び複数のシェル部分を有するヘルメットの他の形態のためのロック機構の設計に伴う固有の課題がある。特に、例えば様々なヘルメット安全基準を国際的に満たすために必要であるように、ロック機構の強度は相当なものであるべきである。
・  拡大可能な（及び／又は制限された）ベル開口ヘルメットの形態、及び複数のシェル部分を有するヘルメットの他の形態のためのヒンジ機構の設計に伴う固有の課題がある。これはヘルメットが保護目的で使用されている場合に最も一般的であり、潜在的な不具合箇所を示すヒンジに関連するリスクを管理する必要がある。
【０００５】
本発明の目的は、従来技術の不利益の少なくとも１つを克服又は改善すること、又は有用な代替を提供することである。
【先行技術文献】
【特許文献】
【０００６】
【特許文献１】ＷＯ２０１２／０５８７１２
【特許文献２】ＷＯ２００７／０５９５７５
【発明の概要】
【０００７】
一実施形態は、ヘルメットを製造する方法を提供し、当該方法は以下を含む：
基本ヘルメットシェルを形成し、当該ヘルメットシェルは、ベル開口エッジによって定められるベル開口を有する；
基本ヘルメットシェルに対して切断加工を適用して、それによって第１のシェル構成要素及び第２のシェル構成要素を定め、そのような第１及び第２のシェル構成要素の各々がベル開口エッジのそれぞれの領域を含む；
第１及び第２のシェル構成要素のうちの少なくとも１つに関し、切断加工によって定められるエッジであるシェル構成要素のエッジに対して少なくとも１つの相互連結エッジ部材を取り付ける；及び
少なくとも１つの相互連結エッジ部材が取り付けられる第１及び第２のシェル構成要素のうちの少なくとも１つを含むヘルメットを組み立てて、組み立てられたヘルメットは、以下の間を可動である：（ｉ）少なくとも１つの相互連結エッジ部材が相補的な対向する相互連結エッジと係合する閉じられた構成；及び（ｉｉ）開かれた構成。
【０００８】
一実施形態は、ヘルメットを製造する方法を提供し、当該方法は以下を含む：
第１及び第２のシェル構成要素のうちの少なくとも１つの各々に関し、切断加工によって定められるエッジであるシェル構成要素のエッジに対して少なくとも１つの相互連結エッジ部材を取り付ける；及び
第１及び第２のシェル構成要素を含むヘルメットを組み立てて、組み立てられたヘルメットは以下の間を可動である：（ｉ）第１及び第２のシェル構成要素の少なくとも１つの相互連結エッジ部材のそれぞれが相補的に係合される閉じられた構成；及び（ｉｉ）開かれた構成。
【０００９】
一実施形態は、ヘルメットを製造する方法を提供し、当該方法は以下を含む：
第１及び第２のシェル構成要素のうちの少なくとも一方の各々に関し、切断工程によって定められたエッジであるシェル構成要素のエッジに対して相互連結エッジ部材のペアを取り付ける；及び
第１及び第２のシェル構成要素を含むヘルメットを組み立てて、組み立てられたヘルメットは以下の間で可動である：（ｉ）第１のシェル構成要素の相互連結エッジ部材のペアが、第２のシェル構成要素の相互連結エッジ部材のペアに対して相補的に係合する閉じられた構成；及び（ｉｉ）開かれた構成。
【００１０】
一実施形態は、ヘルメットを製造する方法を提供し、当該方法は以下を含む：
基本ヘルメットシェルを形成し、当該ヘルメットシェルは、ベル開口エッジによって定められるベル開口を有する；
基本ヘルメットシェルに切断加工を適用し、それにより第１のシェル構成要素及び第２のシェル構成要素を定める；
第１及び第２のシェル構成要素のうちの少なくとも１つに関し、切断加工によって定められるエッジであるシェル構成要素のエッジに対して少なくとも１つの相互連結エッジ部材を取り付ける；及び
少なくとも１つの相互連結エッジ部材が取り付けられる第１及び第２のシェル構成要素のうちの少なくとも１つを含むヘルメットを組み立てる。
【００１１】
実施形態はまた、ここに記載される任意の方法によって形成されるヘルメットを含む。
【００１２】
一実施形態は、拡大可能ベル開口ヘルメットのためのラッチアセンブリを提供し、当該ラッチアセンブリは以下を含む：
拡大可能ベル開口ヘルメットの第１のシェル構成要素に対して取り付けられるように構成される第１のセットのラッチアセンブリ構成要素；及び
拡大可能ベル開口ヘルメットの第２のシェル構成要素に対して取り付けられるように構成される第２のセットのラッチアセンブリ構成要素；
そこで：
第１のシェルは第２のシェルに対して可動であり、それによりヘルメットのための開放された及び閉じられた構成を定め、それにおいて：開かれた構成では、ベル開口が拡大され；閉じられた構成では、第１のセットのラッチアセンブリ構成要素が第２のセットのラッチアセンブリ構成要素と相互作用し、それによって閉じられた構成においてヘルメットをロックする；及び
第１のセットのラッチアセンブリ構成要素は、以下を含む：（ｉ）トラップ可能部材受け入れ領域であって、トラップ可能部材をトラップ可能部材受け入れ領域内に案内するように構成された先細エッジを含むトラップ可能部材受け入れ領域；及び（ｉｉ）付勢される捕捉機構であって、ばね荷重の影響下でトラップ可能部材受け入れ領域におけるトラップ可能部材の取り外しを防止するように構成された付勢される捕捉機構；
第２のセットのラッチアセンブリ構成要素は、トラップ可能部材を提供する第１のプレート部材を含む。
【００１３】
一実施形態は、拡大可能ベル開口ヘルメットのためのラッチアセンブリを提供し、そこでは：
第１のセットのラッチアセンブリ構成要素は第１の非ロック捕捉機構を含み、第１の非ロック捕捉機構は、ロックラッチアセンブリ構成要素から離れた位置で第１のヘルメットシェル構成要素に取り付けられるように構成される；
第２のセットのラッチアセンブリ構成要素は第２の非ロック捕捉機構を含み：当該  第２の非ロック捕捉機構は第１の非ロック捕捉機構と係合するように構成され、第２の非ロック捕捉機構は、ロックラッチアセンブリ構成要素から離れた位置で第１のヘルメットシェル構成要素に取り付けられるように構成される；
使用において、ヘルメットの閉鎖の際に第１及び第２の非ロックラッチアセンブリ構成要素は係合し、それによって少なくとも第１の軸及び第２の軸に沿ったヘルメットシェル構成要素の相対移動を制限し、第１の軸はシェルエッジに実質的に平行であり、第２の軸はシェル面に対して実質的に垂直である。
【００１４】
一実施形態は、拡大可能ベル開口ヘルメットのためのラッチアセンブリを提供し、当該ラッチアセンブリは、以下を含む：
拡大可能ベル開口ヘルメットの第１のシェル構成要素に対して取り付けられるように構成される第１のセットのラッチアセンブリ構成要素；及び
拡大可能ベル開口ヘルメットの第２のシェル構成要素に対して取り付けられるように構成される第２のセットのラッチアセンブリ構成要素；
そこで：
第１のシェルは第２のシェルに対して可動であり、それによってヘルメットのための開かれた及び閉じられた構成を定め、そこで：開かれた構成では、ベル開口が拡大され；閉じられた構成では、第１のセットのラッチアセンブリ構成要素が第２のセットのラッチアセンブリ構成要素と相互作用し、それによって閉じられた構成においてヘルメットをロックする；及び
第１のセットのラッチアセンブリ構成要素は、第１のロック可能構成要素を含む；
第２のセットのラッチアセンブリ構成要素は、ヘルメットの閉鎖の際に第１のロック可能構成要素に対してロックするように構成される第２のロック可能構成要素を含む；
第１のセットのラッチアセンブリ構成要素は第１の非ロック捕捉機構を含み、第１の非ロック捕捉機構は、第１のロック可能構成要素から離れた位置で第１のヘルメットシェル構成要素に取り付けられるように構成される；
第２のセットのラッチアセンブリ構成要素は第２の非ロック捕捉機構を含み；第２の非ロック捕捉機構は第１の非ロック捕捉機構と係合するように構成され、第２の非ロック捕捉機構は、第２のロック構成要素から離れた位置で第１のヘルメットシェル構成要素に取り付けられるように構成される；
使用において、ヘルメットの閉鎖の際に第１及び第２の非ロックラッチアセンブリ構成要素が係合し、それによって少なくとも第１の軸及び第２の軸に沿ったヘルメットシェル構成要素の相対移動を制限し、第１の軸はシェルエッジに対して実質的に平行であり、第２の軸はシェル面に対して実質的に垂直である。
【００１５】
実施形態はまた、ここで説明されるようなラッチアセンブリを含むヘルメットを含む。
【００１６】
一実施形態は、拡大可能ベル開口ヘルメットのためのヒンジアセンブリを提供し、当該ヒンジアセンブリは、以下を含む：
拡大可能ベル開口ヘルメットの第１のシェル構成要素に対して取り付けられるように構成される第１のセットのヒンジアセンブリ構成要素；及び
拡大可能ベル開口ヘルメットの第２のシェル構成要素に対して取り付けられるように構成される第２のセットのヒンジアセンブリ構成要素であって、第１のセットのヒンジ構成要素が、第２のセットのヒンジ構成要素と係合してそれによりヒンジ軸の回りを回転するヒンジを定めるように構成される第２のセットのヒンジアセンブリ構成要素；
そこで：
第１のシェルは第２のシェルに対して可動であり、それによりヘルメットのための開かれた及び閉じられた構成を定める；及び
第１及び第２のセットのヒンジアセンブリ構成要素は、それぞれのシェル構成要素に取り付けられて、ヒンジ接続を提供し、ヒンジ軸の周りにおいて第２のシェルに対する第１のシェルの移動を可能にする。
【００１７】
他の実施形態は、ここに記載されているヒンジアセンブリを有するヘルメットを含む。
【００１８】
一実施形態は、ヘルメットシェル構成要素とは独立して形成される少なくとも１つの相互連結エッジ構成要素を有する拡大可能ベル開口ヘルメットを提供し、ヘルメットシェル構成要素にはそれが固定的に取り付けられ、ヘルメットは以下の間を可動である：（ｉ）少なくとも１つの相互連結エッジ部材が相補的な対向する相互連結エッジと係合する閉じられた構成；及び（ｉｉ）開かれた構成。
【００１９】
一実施形態は、２つのシェルから形成される複合ヘルメットを提供し、それらのシェルは、それぞれの相互連結エッジに沿って係合する。
【００２０】
一実施形態は複合ヘルメットを提供し、シェルのうちの少なくとも１つは、相互連結エッジ構成要素をシェルに取り付ける手段として、そのそれぞれの相互連結エッジを提供する。
【００２１】
本明細書を通して、「一実施形態」、「いくつかの実施形態」又は「実施形態」は、実施形態に関連して説明される特定の特徴、構造又は特性が本発明の少なくとも１つの実施形態に含まれることを意味する。したがって、本明細書の様々な箇所における「一実施形態において」、「いくつかの実施形態において」又は「実施形態において」というフレーズの表現は、必ずしもすべてが同じ実施形態に言及しているわけではないが、そうかもしれない。さらに、特定の特徴、構造又は特性は、１つ又は複数の実施形態において、本開示から当業者に明らかであるように、任意の適切なやり方で組み合わせられうる。
【００２２】
ここで使用されるように、別段の指定がない限り、共通の対象を記述するための「第１」、「第２」、「第３」等の序数詞の使用は、類似の対象の異なる例が言及されていることを示すに過ぎず、そのように記述される対象が、時間的、空間的、順位付け、或いは他の任意のやり方で所定の順番でなければならないことを示唆することは意図されていない。
【００２３】
以下の特許請求の範囲及びここでの記述において、備える、備えられている、又はそれは備えるの用語のいずれも、少なくともそれに続く要素／特徴を含み、他を除外しないことを意味するオープン用語（ｏｐｅｎ  ｔｅｒｍ）である。従って、用語「備える」は、特許請求の範囲で使用される場合、その後に記載された手段又は要素又はステップに限定するものとして解釈されるべきではない。例えば、Ａ及びＢを含む装置の表現の範囲は、要素Ａ及びＢのみからなる装置に限定されるべきではない。またここで使用されるような含む、それは含む、それは含むの用語のいずれも、少なくともその用語に続く要素／特徴を含み、他を排除しないことも意味するオープン用語である。従って、含むことは備えることと同義語であり、備えることを意味する。
【００２４】
ここで使用される場合、「例示的」という用語は、品質を示すこととは対照的に、例を提供する意味で使用される。すなわち、「例示的実施形態」は、必ず例示的品質の実施形態であることとは対照的に、一例として提供される実施形態である。
【００２５】
ＰＣＴ公報ＷＯ２０１２／０５８７１２及びＷＯ２００７／０５９５７５の開示は、それらの全体が相互参照により組み込まれる。
【図面の簡単な説明】
【００２６】
本発明の実施形態が、添付の図面を参照して、単なる例として、以下に説明される。
【図１】図１は、一実施形態によるヘルメットの側面図を提供する。
【図２Ａ】図２Ａ〜図２Ｄは、図１のもののようなヘルメットのための相互連結エッジ構成のための製造プロセスを概略的に示す。
【図２Ｂ】図２Ａ〜図２Ｄは、図１のもののようなヘルメットのための相互連結エッジ構成のための製造プロセスを概略的に示す。
【図２Ｃ】図２Ａ〜図２Ｄは、図１のもののようなヘルメットのための相互連結エッジ構成のための製造プロセスを概略的に示す。
【図２Ｄ】図２Ａ〜図２Ｄは、図１のもののようなヘルメットのための相互連結エッジ構成のための製造プロセスを概略的に示す。
【図３Ａ】図３Ａ及び図３Ｂは、一実施形態によるヘルメットラッチ構成の図であり、図１のヘルメットために使用されるいくつかの実施形態におけるものである。
【図３Ｂ】図３Ａ及び図３Ｂは、一実施形態によるヘルメットラッチ構成の図であり、図１のヘルメットために使用されるいくつかの実施形態におけるものである。
【図４Ａ】図４Ａ及び図４Ｂは、ヘルメットラッチ構成の更なる図を提供する。
【図４Ｂ】図４Ａ及び図４Ｂは、ヘルメットラッチ構成の更なる図を提供する。
【図５】図５は、二次位置決め構成と関連して示されたヘルメットラッチ構成の更なる図を提供する。
【図６】図６は、図５の位置決め構成を具備する図１のヘルメットを示す。
【図７】図７は、位置決め構成に焦点が当てられた図５の領域のより詳細な図を示す。
【図８Ａ】図８Ａ〜図８Ｉは、一実施形態によるヘルメットラッチ構成の動作を示す。
【図８Ｂ】図８Ａ〜図８Ｉは、一実施形態によるヘルメットラッチ構成の動作を示す。
【図８Ｃ】図８Ａ〜図８Ｉは、一実施形態によるヘルメットラッチ構成の動作を示す。
【図８Ｄ】図８Ａ〜図８Ｉは、一実施形態によるヘルメットラッチ構成の動作を示す。
【図８Ｅ】図８Ａ〜図８Ｉは、一実施形態によるヘルメットラッチ構成の動作を示す。
【図８Ｆ】図８Ａ〜図８Ｉは、一実施形態によるヘルメットラッチ構成の動作を示す。
【図８Ｇ】図８Ａ〜図８Ｉは、一実施形態によるヘルメットラッチ構成の動作を示す。
【図８Ｈ】図８Ａ〜図８Ｉは、一実施形態によるヘルメットラッチ構成の動作を示す。
【図８Ｉ】図８Ａ〜図８Ｉは、一実施形態によるヘルメットラッチ構成の動作を示す。
【図９】図９は、一実施形態によるヘルメット背部ヒンジ構成を示し、それは図１のヘルメットのために使用されるいくつかの実施形態におけるものである。
【図１０】図１０は、ヘルメット背部ヒンジ構成の更なる図を提供する。
【図１１】図１１は、ヘルメット背部ヒンジ構成の更なる図を提供する。
【図１２】図１２は、ヘルメット背部ヒンジ構成の更なる図を提供する。
【図１３】図１３は、図１のヘルメットの断面で示されたヘルメット背部ヒンジ構成の更なる図を提供する。
【図１４】図１４は、断面で示されたヘルメット背部ヒンジ構成の更なる図を提供する。
【図１５】図１５は、断面で示された更なる例示的ヘルメット背部ヒンジ構成の図を提供する。
【図１６Ａ】図１６Ａ及び図１６Ｂは、図１５のヒンジ構成の更なる図を提供する。
【図１６Ｂ】図１６Ａ及び図１６Ｂは、図１５のヒンジ構成の更なる図を提供する。
【図１７Ａ】図１７Ａ及び図１７Ｂは、図１５のヒンジ構成の動作を示す。
【図１７Ｂ】図１７Ａ及び図１７Ｂは、図１５のヒンジ構成の動作を示す。
【図１８】図１８は、図１５のヒンジ構成の更なる図を提供する。
【図１９Ａ】図１９Ａ及び図１９Ｂは、一実施形態によるバイザー接続構成を示す。
【図１９Ｂ】図１９Ａ及び図１９Ｂは、一実施形態によるバイザー接続構成を示す。
【図２０Ａ】図２０Ａ及び図２０Ｂは、図１９Ａ及び図１９Ｂのバイザー接続構成のディスク構成要素を示す。
【図２０Ｂ】図２０Ａ及び図２０Ｂは、図１９Ａ及び図１９Ｂのバイザー接続構成のディスク構成要素を示す。
【図２１Ａ】図２１Ａ〜図２１Ｃは、バイザー接続構成の更なる図を提供する。
【図２１Ｂ】図２１Ａ〜図２１Ｃは、バイザー接続構成の更なる図を提供する。
【図２１Ｃ】図２１Ａ〜図２１Ｃは、バイザー接続構成の更なる図を提供する。
【図２２】図２２は、バイザー接続構成を断面で示す。
【発明を実施するための形態】
【００２７】
本発明は、保護ヘルメット及び保護ヘルメットを製造するための方法に関する。ここで記述される実施形態は、拡大可能ベル開口を有する保護ヘルメット、例えば後方開口ヘルメット、に特に関連する。
【００２８】
事情
述べたように、ここで記述される実施形態は、拡大可能ベル開口を有する保護ヘルメット、例えば後方開口ヘルメット、に特に関連する。ヘルメットの例は、ＰＣＴ公報ＷＯ２０１２／０５８７１２及びＷＯ２００７／０５９５７５に開示されている。概して、そのようなヘルメットは２つの（又はいくつかの実施形態ではより多くの）シェル部分を含み、当該２つの（又はいくつかの実施形態ではより多くの）シェル部分は、お互いに対して相対的に可動でありそれによってヘルメットのベル開口（ヘルメットを装着するために使用者の頭部が挿入される開口部）を拡大する。
【００２９】
拡大可能ベル開口ヘルメットの重要なサブセットは、「制限されたベル開口ヘルメット」である。そのようなヘルメットは、ベル開口が使用者の下側頭部（例えば顎の高さにおいて）よりも周方向に小さいように寸法決めされる。これは、ベル開口を集合的に定めるシェル部分が閉じられた構成にある場合にヘルメットが着脱されるのを防止する。それらのシェル部分は、使用者がヘルメットを着脱することを可能にするように、開かれた構成へ互いに対して動かされなければならない。この点に関して、制限されたベル開口設計の使用は、（ヘルメットの時期尚早の又は他の好ましくない取り外しに使用される顎ストラップを有する、ベル開口がヘルメットの適用及び除去を可能にする固定サイズである）慣習的な顎ストラップ設計の代替として、随意的に実施される。
【００３０】
本開示が使用者の頭部及びヘルメットの相対的なサイズを扱う場合、ヘルメットは意図された頭部サイズ範囲を有し、該当の使用者はその範囲内にある頭部サイズを有すると解釈されるものであると、認識されるべきである。すなわち、ここでの開示は、ここで記述される例の使用者の頭部がその範囲内にある使用者の頭のサイズに関する大きさである例のヘルメットを記述する。したがって、「ヘルメットは、ベル開口が使用者の下側頭部より周方向に小さくなるように、寸法決めされている」場合において、それはヘルメットが具体的に構成されている範囲における頭部サイズを有する使用者に言及する。
【００３１】
以下で検討されるいくつかの例において、制限されたベル開口ヘルメットは、フルヘルメットシェルを２つの部分に、例えば前部及び後部に、切断することによって定められる。これは、ベル開口を定めるエッジの分割をもたらし、それによりベル開口を拡大することは、前方及び後方のシェルのベル開口部分をお互いに対して動かすことを含む。シェルを分離する切断ラインは、開かれた構成にある場合にベル開口が以下のいずれかとして考えられるように定められる：（ｉ）閉じられた構成のベル開口エッジ及びそこの間に定められるスペースによって定められる開口；又は（ｉｉ）ヘルメットが閉じられた構成にある場合に隣接／相互連結する対向するシェルエッジのエッジと、閉じられた構成のベル開口エッジと、によって定められる開口。シェル部分間の切断ラインは、以下のようにして定められる：Ｘ−Ｙのサイズ範囲での頭部に関して設計されたヘルメットに関して、Ｘ−Ｙのサイズの頭部が：
・  閉じられた構成においてヘルメットに挿入できない；
・  （概ね顎の高さでの頭部の大きさに対するベル開口の大きさのために）閉じられた構成においてヘルメットから取り外すことができない；及び
・  相互連結が前方シェルエッジに沿って生じ、前方シェルエッジによって適切な開口が定められていることに起因して、ヘッドが開かれている場合に、概して進行方法で前方シェル内に前進することができる。
【００３２】
ＰＣＴ公報ＷＯ２０１２／０５８７１２及びＷＯ２００７／０５９５７５において開示されている例は、拡大可能ベル開口ヘルメットの形態：後方開口ヘルメットを示す。これらは前方シェル及び後方シェルを含み、後方シェルは、ベル開口を拡大するように前方シェルに対して可動である（したがってヘルメットの着脱を可能にする）。より詳細には、これらの公報のヘルメットは、前方シェル及び後方シェルの相対回転を可能にする背部ヒンジ接続を利用する。サイドファスナー（例えば、ラッチ構成）は、閉じられた構成においてヘルメットのロックを可能にする。
【００３３】
そこでの背部ヒンジ及びサイドファスナーの使用という意味で、ＰＣＴ公報ＷＯ  ２０１２／０５８７１２及びＷＯ２００７／０５９５７５のものと同様の後方開口ヘルメットを参照して、様々な実施形態が以下で説明される。しかしながら、（例えば、ヘルメット製造方法、ラッチ構成及びバイザー構成を参照することによる）記述される技術の様々な態様は、拡大可能ベル開口ヘルメットのその特定の形態には決して限定されず、拡大可能ベル開口ヘルメットの幅広い範囲の他の形態に対して、いくつかのケースではより一般的に保護ヘルメットに対して、適用可能であることが認識されるべきである。
【００３４】
一例として、他の可能な構成は以下を含む：
・  背部ヒンジ以外のヒンジ−例えばサイドヒンジ。
・  ベル開口を集合的に定める２つのシェル構成要素が互いに対してスライド可能に構成されている。例えば、後方シェル又は後方シェル領域は、開放構成を定めるように、定められた軌道に沿って後方にスライド可能である。
・  ベル開口を集合的に定める２つのシェル構成要素が、ヘルメットを開閉するように取り外し可能であり且つ再取り付け可能である構成。いくつかのケースでは、取り外しの際に、二次接続構成（例えば、弾性接続のような弾性的に偏ったテザー）が、取り外されたシェルを閉じられた構成に向けて付勢する。
・  ベル開口を部分的に定める後方部分が可動であり、それにより、制限されたベル開口ヘルメット内への頭部の挿入を可能にする任意のヘルメット。
・  顎カップ構成要素（例えば、２００７／０５９５７５に開示されているような調節可能な及び／又は弾性的に偏った顎カップ構成要素）を含むシェル部分が可動であり、それにより、制限されたベル開口ヘルメット内への頭部の挿入を可能にする任意のヘルメット。
【００３５】
様々な他の構成も可能である。
【００３６】
典型的なヘルメット
図１００は、一実施形態によるヘルメット１００を示す。ここに開示されている発明の実施形態も形成するヘルメット技術の様々な態様が、図１のヘルメットと共に図示されている。
【００３７】
ヘルメット１００は、分離線１０３に沿って分離された前方シェル１０１及び後方シェル１０２によって定められている。ヘルメットは側面図で示され、前方においてバイザー１０５を有し、底部において制限されたベル開口を有する。上述したように、制限されたベル開口のために、ヘルメットは、それが（シェル１０１及び１０２の相対的な動きによってベル開口が拡大されている）開かれた構成にある場合に着用者がただヘルメットの適用及び取り外しができるような大きさを有する。
【００３８】
それらのシェルは、それぞれの相互連結エッジ領域を含む。特に、分離ラインにおける各シェルのエッジの少なくとも一部は雄領域又は雌領域を含み、それらの領域は、閉じられる際に対向するシェルエッジにおいて相補的な雌領域又は雄領域と相互連結して係合する。さまざまな相互連結エッジデザイン及び構成が実施形態で使用されており、様々な例がＷＯ２００７／０５９５７５に示されている。図示の例では、ヘルメットの側部領域に沿って相互連結エッジが存在している。より詳細には、ヘルメットの各側部において、それらがヒンジアセンブリから（図１ではラッチアセンブリカバー１１０及び１１１によって隠されている）ラッチアセンブリに実質的に延在する。
【００３９】
この実施形態において、相互連結エッジ構成要素１０８及び１０９が示されている。これらの構成要素は、（好ましくは弾性特性を有する）プラスチック材料から形成され、以下でさらに説明する製造プロセスの間にヘルメットシェルに接続される。しかし、いくつかの実施形態では、相互連結エッジ構成要素のいずれか又は両方がヘルメットシェルと一体的に形成されてもよい。
【００４０】
図示された実施形態において、前方シェル及び後方シェルの両方が、以下でさらに説明する構造技術を使用して複合材料（例えば炭素繊維）から構成されており、それによってシェルは最初に単一のヘルメットによって定められ、当該単一のヘルメットは２つの別々のシェルを定めるように実質的に切断される。しかし、他の実施形態では、代替の材料が使用され、交互構成技術が使用される。例えば、いくつかの実施形態では、一方又は両方のシェルがＡＢＳ（アクリロニトリルブタジエンスチレン）から形成される。
【００４１】
シェル１０１は、領域１０４（後でさらに詳細に説明する）において背部ヒンジアセンブリによってシェル１０２に対してヒンジ式に接続される。これにより、シェル１０１及び１０２は、ヒンジアセンブリのヒンジの軸の周りで、概して矢印１０６によって示される経路に沿って、互いに対して相対的に回転することが可能になる。
【００４２】
ヘルメットが閉じられる際に、相互連結エッジ構成要素１０８及び１０９が相補的に係合し、ヘルメットの各側部における（カバー１１０及び１１１によって隠される）ラッチアセンブリは、以下でさらに説明されるように（ばね荷重構成によって）ヘルメットシェルを一緒に固定的に自動的にロックする。ヘルメットを再び開くために、使用者は、側部ラッチアセンブリの各々に設けられたボタン１１２を操作して、ラッチアセンブリを解放し、シェルの外向きの相対回転を可能にする。
【００４３】
調整可能な顎カップ構成要素が、領域１２０においてヘルメットの範囲内に設けられる。これは、個別の使用者のサイズに基づいて調整され、それによってヘルメットが着用されたときに着用者の顎を受け、領域１２０でのハードシェルに対する顎の弾性的に拘束されたいくらかの制限された動きを可能にする。顎カップは顎のストラップと混同されない；顎カップは、着用者の顎の各側において、好ましくは上下の両方で、着用者の顎領域を満足させるように構成された構成要素である。他方、顎ストラップは、着用者の顎の下に位置するように構成された構成要素である。
【００４４】
分離可能な相互連結エッジ構成要素を可能にする製造方法
図２Ａ〜図２Ｄは、図１のヘルメット１００のようなヘルメットのための相互連結エッジ構成の製造プロセスを概略的に示す。
【００４５】
既知の２つの部分のヘルメット構成は、ヘルメットシェルから一体的に形成された相互連結エッジを利用する。これは、典型的には、２つの個々のシェルの初期構造を必要とし、それは、シェルの一貫性のない収縮などの結果により問題となり得る。それはまた、複合材料は一体的な相互連結エッジの形成には適していないので（それは複合前方シェル及びＡＢＳ後方シェルを有するヘルメットの使用を好むかもしれない）、フル複合ヘルメットを使用する際の課題を生む。
【００４６】
本技術の実施形態は、ヘルメットシェルとは独立して製造され、製造プロセス中にヘルメットシェルに取り付けられる相互連結エッジ構成要素を使用するヘルメット及び製造技術を含む。いくつかの実施形態は、以下を含む製造プロセスを含む：
・  基本ヘルメットシェルを形成し、当該ヘルメットシェルはベル開口エッジによって定められるベル開口を有する；
・  基本ヘルメットシェルに対して切断加工を適用し、それにより第１のシェル構成要素及び第２のシェル構成要素を定め、そのような第１及び第２のシェル構成要素の各々は、ベル開口エッジのそれぞれの領域を含む；
・  第１及び第２のシェル構成要素のうちの少なくとも１つに関し、少なくとも１つの相互連結エッジ部材を、切断加工によって定められるエッジであるシェル構成要素のエッジに取り付ける；及び
・  少なくとも１つの相互連結エッジ部材が取り付けられる第１及び第２のシェル構成要素のうちの少なくとも１つを含むヘルメットを組み立てて、組み立てられたヘルメットは以下の間で可動である：（ｉ）少なくとも１つの相互連結エッジ部材が相補的な対向する相互連結エッジと係合する閉じられた構成；及び（ｉｉ）開かれた構成。
【００４７】
好ましくは、その方法は、第１及び第２のシェル構成要素のうちの少なくとも１つの各々に関し、切断加工によって定められるエッジであるシェル構成要素のエッジに対して少なくとも１つの相互連結エッジ部材を取り付けることを含む。そしてこれは、第１及び第２のシェル構成要素を含むヘルメットを組み立てることを伴い、組み立てられたヘルメットは以下の間で可動である：（ｉ）第１及び第２のシェル構成要素の少なくとも１つの相互連結エッジ部材のそれぞれが相補的に係合される閉じられた構成；及び（ｉｉ）開かれた構成。
【００４８】
相互連結エッジ構成に利用可能な様々な設計選択がある。例えば、１つの相互連結エッジ部材を一方又は両方のシェルに取り付けてもよく、いずれかのシェルにおいて単一の相互連結エッジ部材又は複数の相互連結エッジ部材（例えばセグメント化された相互連結エッジを定める複数の部材を有する）があってもよい。
【００４９】
好ましい実施形態において、その方法は、第１及び第２のシェル構成要素の各々に関し、シェル構成要素のエッジ部に対して相互連結エッジ部材ペアを取り付けることを含む。これは図１の場合であり、連結エッジ部材１０８のペアがシェル構成要素１０１（実質的にヒンジアセンブリからラッチアセンブリまで延在する）に取り付けられ、連結エッジ部材１０９のペアがシェル構成要素１０１（実質的にヒンジアセンブリからラッチアセンブリまで延在する）に取り付けられている。すなわち、ヘルメットの各側において部材１０８があり、ヘルメットの各側において部材１０９がある。
【００５０】
図２Ａは、最初に形成された複合ヘルメットシェルの領域を断面で示している。これは、シェルの外周に沿って延びる窪んだ領域２０１を含む。窪んだ領域の幅及び深さは、取り付けられる構成要素に応じて、その長さに沿って変化する。例えば、図１３は、ヒンジアセンブリの隠された取り付けを可能にするような寸法及び形状の窪んだ領域の一部を示す。
【００５１】
切断加工がヘルメットシェル２００に適用され、それによって（図１のシェル構成要素１０１及び１０２に対応しうる）ヘルメットシェル構成要素２１０及び２１１を定める。ここで、切断加工は、現在のプロセスによって定められる第１のシェルのエッジと、切断加工によって定められる第２のシェルのエッジとの間に定められる１つ以上のシェル領域を除去することを含む。これらのうちの１つが領域２１２として示されている。これらの領域は、図２Ｄに最も良く示されているように、ヘルメットが閉じられた構成にある場合に、第１及び第２のシェル構成要素間の幅寸法に実質的に対応する幅寸法を有する。基本的に、除去された領域は、相互連結エッジ構成要素によって占有されるシェル間のペースを構成する。
【００５２】
図２Ｃに示されるように、相互連結エッジ構成要素２２０及び２２１は、（切断加工中に定めるエッジである）シェル構成要素２０１及び２１１のエッジに取り付けられる。相互連結エッジ構成要素は細長く、ヒンジ構成要素、ラッチ構成要素等によって占められていないエッジの一部（好ましくは実質的な部分）に関するそれらのヘルメットシェルエッジに沿って延びるように取り付けられる。
【００５３】
相互連結エッジ構成要素１０２及び２１１は、好ましくは（例えば、射出成形プロセス、３Ｄプリンティングプロセスなどを介して）プラスチックから形成され、いくつかの実施形態において弾性特性を有するプラスチック材料から形成され、それにより閉じられたヘルメットのシェル間における限定された弾性動作を可能にする。
【００５４】
相互連結エッジ部材の少なくとも１つは、他の相互連結エッジ部材の相補的な雌領域２２３と相互連結する雄領域２２２を含む。いくつかの実施形態において、１つの相互連結エッジ部材は完全に雄であり、他が雌であるが、他の実施形態において、それらの各々は雄領域と雌領域の両方を含む。射出成形及び／又は３Ｄプリンティングなどの組み立て技術を使用して、広範囲の相互連結エッジ設計を達成されうることが認識されるであろう。図２Ｄは、完全に組み立てられたヘルメットが閉じられる際に生じる雄部及び雌部の相互係合を示す。
【００５５】
図示された実施形態において、相互連結エッジ部材は、窪んだ領域２０１によって定められるエッジに沿って各ヘルメットシェルの周りにおいて挟まれて取り付けられている。これは、接着剤、熱、及び（リベットやねじなどの）取り付け部材などのうちのいずれか１つ又は複数の方法によって達成されうる。いくつかの場合において、そのような取り付けを助けるようにエッジに隣接するシェルを通して開口が形成される。
【００５６】
例示的ラッチ構成
図３Ａ〜図７は、図１のヘルメットに関する例示的ラッチ構成を示す。概要として、いくつかの実施形態は、（２つのそのようなラッチアセンブリ；各側に１つ、を含む）図１のヘルメットのような、拡大可能ベル開口ヘルメットのためのラッチアセンブリを含む。
【００５７】
図４Ａに言及すると、ラッチアセンブリ４００は、シェル構成要素１０１に取り付けられるように構成される第１のセットのラッチアセンブリ構成要素４０１と、拡大可能ベル開口の第２のシェル構成要素に対して取り付けられるように構成される第２のセットのラッチアセンブリ構成要素４０２と、である。
【００５８】
第１のセットのラッチアセンブリ構成要素４０１は、（図４Ａでは部分的に隠されている）トラップ可能部材受け領域４１０を含む。トラップ可能部材受け入れ領域は、（取り付け構成要素４２１によってヘルメットシェルに取り付けられた第１のプレート部材４１２上に設けられる）トラップ可能部材４１１をトラップ可能部材受け領域内に案内するように構成された先細エッジを含む。すなわち、ヘルメットが閉じられる際に、トラップ可能部材をトラップ可能部材受け入れ領域内へ、それがトラップされるように構成されるポイントまで、漸進的に案内するのを、それらの先細エッジはアシストする。トラップすることは、ばね荷重捕捉機構によって行われ、ばね荷重捕捉機構は、ばね荷重の影響下でトラップ可能部材受け入れ領域におけるトラップ可能部材の取り外しを防止するように構成される。
【００５９】
ばね荷重捕捉機構は、そのトラップ可能部材がトラップ可能部材受け入れ領域に向かって進むにつれて、トラップ可能部材との係合の際のばね荷重の方向に抗して移動するように構成され、それにより自動化された挿入及びトラップ可能部材受け入れ領域におけるトラップ可能部材の捕捉を可能にする。この実施形態において、そのような機能は、傾斜したエッジ４１４によって達成される。
【００６０】
トラップ可能部材受け入れ領域は、第１のヘルメットシェル構成要素に取り付けられるように構成された第２のプレート部材４１５によって、定められる（図４Ｂの取り付け構成要素４２０参照）。ばね荷重捕捉機構は、アクセルマウント４２２によって第２のプレート部材に回転で取り付けられている。
【００６１】
ばね荷重捕捉機構は、手動で操作されるように構成されたボタン構成要素４２５を含み、それによりばね荷重の方向に抗するばね荷重捕捉機構の動きを可能にし、それによってトラップ可能部材受け取り領域からのトラップ可能部材の取り外しを可能にする。
【００６２】
係合の際に、第１のプレート部材４１２及び第２のプレート部材４１５は、ばね荷重捕捉機構のガイドプレート部材４２５を矯正して挟み込む。
【００６３】
トラップ可能部材は、トラップ可能部材受け入れ領域４１０において捕捉される第１のプレート４１２から延びる第１の半径の領域と、第１の半径の領域から延びる第２の半径の領域とを含み、第２の半径の領域及びガイドプレートは第２のプレート部材４１５を集合的に挟む。
【００６４】
図８Ａ〜図８Ｉは、上述された対応の特性を有するラッチ構成の動作を示している。対応の参照番号が図８Ａ〜図４Ａおよび図４Ｂにおいて使用されている。しかし、図８Ａは、明瞭化のために、ボタン４２５に対応する構成要素なしで示されているが、そのようなボタンがどのようにして領域４３０に又は領域４３０の近位において取り付けられることができるか認識されるであろう。
【００６５】
図８Ａは、ロック解除／開放を目的としたばね荷重捕捉機構の回転方向を示している。図８Ｂに示すように、この回転によりガイドプレートがトラップ可能部材受け入れ領域から離れ、それにより、図８Ｃに示すようなトラップ可能部材の取り外しが可能になる。そしてばね荷重捕捉機構は、図８Ｄ及び図８Ｅに示されるようなそのばね荷重付勢位置に戻る。
【００６６】
図８Ｆは、（シェルの相対回転による）ヘルメットが閉じられる際におけるトラップ可能部材が接近する方向を示す。これは傾斜面４１４を押し、それによってばね付勢に抗して作用し、ばね搭載捕捉構成要素の復帰の際におけるトラップ可能部材受け入れ領域におけるトラップ可能部材の捕捉を可能にする（図８Ｈ参照）。
【００６７】
図８Ｉは、ばね搭載捕捉構成要素にばね荷重を提供するばね構成要素４６０の随意的な位置を示す後方斜視図を提供する。
【００６８】
図５を参照すると、（図１のものなどの）いくつかの実施形態において、ラッチアセンブリ４００は、非ロックラッチ構成要素４７０を含む。概して、これは、例えば図６及び図７に示されるように、ロック構成要素４０１及び４０２から離れた位置に取り付けられる。ロック構成要素は、主にロック機能を提供するように構成されている。非ロック構成要素は、閉じられる際にヘルメット構造の全体性のための頑丈なシェル間の位置決めを提供するように構成される。ラッチ構成要素４７０は、突起体４７４を含む非ロック捕捉機構４７２と第２の非ロック捕捉機構４７１とを含み；第２の非ロック捕捉機構４７１は非ロック捕捉機構４７２と係合するように構成され、突起体捕捉ループ４７３を含む。突起体は、好ましくは、突起体捕捉ループ内への正確な挿入を助けるように、先細の先端部を有する。
【００６９】
使用において、非ロックラッチアセンブリ構成要素４７１及び４７２は、ヘルメットが閉じられる際に係合し、それによって少なくとも第１の軸及び第２の軸に沿ったヘルメットシェル構成要素の相対移動を制限し、第１の軸はシェルエッジに実質的に平行であり、第２の軸はシェル面に対して実質的に垂直である。
【００７０】
例示的背部ヒンジアセンブリ
図９は、図１のヘルメットの一実施形態による背部ヒンジアセンブリ９００を示す。更なる図が図１０〜図１４に示されている。特に、図１３は、図１のヘルメットに取り付けられた背部ヒンジ構成の断面を提供する。
【００７１】
アセンブリ９００は、シェル構成要素１０１に取り付けられるように構成される第１のセットのヒンジアセンブリ構成要素９０１を含む。より具体的には、構成要素９０１は、射出成形されたヒンジ半体９１０を含む。これは、ヘルメットシェルをヒンジ半体９１０に固定するためのねじを受け入れるように構成される構造９１２を含む。開口９１３は、ねじを選択的に挿入又は取り外すためのアクセスを提供し、それは後述するようにヒンジ半体９１０の取り外しを可能にし、それによって、以下でさらに説明するように、安全リリース機能を可能にする。
【００７２】
第２のセットのヒンジアセンブリ構成要素９０２は、シェル構成要素１０２に取り付けられるように構成される。これらは、射出成形されたヒンジ半体９２０を含み、当該ヒンジ半体９２０は、取付構造９２１を使用してシェル構成要素を通して固定される。これらは外部からアクセス可能ではなく、ヒンジ半体９２０は意図されたヘルメット操作の一部として取り外されることが意図されていない。
【００７３】
ヒンジ半体９０１は、ヒンジ半体９２０と係合するように構成され、それによって、ヒンジピン９３０によって定められるヒンジ軸の周りを回転するヒンジを定める。ヒンジ半体９１０及び９２０を通って定められる軸方向開口の相対的な位置決めは、ヒンジ半体間での実質的にスムーズな上面移行を可能にする。図１３に示すように、これは、ヒンジアセンブリがヘルメット面と実質的に同じ面で位置するように凹部に取り付けられ、同様の全体的に湾曲した構成を採用する。
【００７４】
ヒンジ半体９１０及び９２０の各々は、複数の平行なリブを含み、ヒンジピン受け入れ開口部が、それらのリブを通って軸方向に形成されている。それらのリブは、ヒンジアセンブリが形成される場合に多層サンドイッチ構造で相互係合し、ヒンジに対して剛性を与える点で有益である。さらに、シェル構成要素１０１からのヒンジ半体９１０の取り外しの際に、ヒンジ半体９１０がヒンジピンから横方向に分離されることができ、それによってヒンジ半体９２０からヒンジピンを取り外すことなくシェル構成要素をお互いから分離することを可能にするように、それらのリブは形作られる。
【００７５】
図１６Ａ〜図１８は、同様の特徴を有する別のヒンジアセンブリの図を提供する。対応の参照番号が指針として図１６Ａにおいて与えられる。図１６Ａはさらに、定められた閉じられたヘルメットヒンジアセンブリ位置からヒンジアセンブリを弾性的に付勢するように構成されたエラストマーばね９８０を示す。これは以下を意味する：（ｉ）ヘルメットを閉じるために追加の力が必要であり、偶発的な閉鎖の可能性を減らす；及び（ｉｉ）ラッチリリースボタンを操作すると、ヘルメットが自動的に勢いよく開く。
【００７６】
結論と解釈
本発明の例示的実施形態の上記の説明において、開示を合理化して１以上の様々な発明の態様の理解を助けることを目的として、本発明の様々な特徴は、１つの実施形態、図面又はその説明においてときどき一緒にグループ化されていることが認識されるべきである。しかしながら、この開示の方法は、特許請求の範囲に記載された発明が各請求項に明示的に記載されているよりも多くの特徴を必要とするという意図を反映するものとして解釈されるものではない。むしろ、以下の特許請求の範囲が反映するように、発明的な態様は、単一の前述の開示された実施形態のすべての特徴よりも少ないものである。したがって、各請求項がこの発明の別個の実施形態としてそれ自体として自立しつつ、詳細な説明に続く特許請求の範囲はこの詳細な説明に明示的に組み込まれる。
【００７７】
さらに、ここで説明されたいくつかの実施形態は、他の実施形態に含まれるいくつかではあるが他ではない特徴を含むが、異なる実施形態の特徴の組み合わせは、本発明の範囲内であることが意図されており、当業者によって理解されるであろう様々な実施形態を形成する。例えば、以下の特許請求の範囲において、請求項に記載された実施形態のいずれもが、任意の組み合わせで使用されることが可能である。
【００７８】
ここで提供される説明において、多くの具体的な詳細が述べられている。しかし、本発明の実施形態は、これらの特定の詳細無しに実施されうることが理解される。他の例において、周知の方法、構造及び技術は、この説明の理解を不明瞭にしないために詳細には示されていない。
【００７９】
したがって、本発明の好ましい実施形態であると考えられるものが記載されているが、当業者であれば、本発明の精神から逸脱することなくそれに対して他の及び更なる改変を行うことができ、そのようなすべての変更及び修正が本発明の範囲内に含まれるものとして要求することが意図されている。例えば、上述で与えられた任意のやり方は、使用され得る手順の単なる代表例である。機能はブロック図に追加又は削除され、作用は機能ブロック間で交換されうる。工程は、本発明の範囲内において、記述された方法に対し、追加又は削除されうる。
【図１】
2019504940.tif 000003
【図２Ａ】
2019504940.tif 000004
【図２Ｂ】
2019504940.tif 000005
【図２Ｃ】
2019504940.tif 000006
【図２Ｄ】
2019504940.tif 000007
【図３Ａ】
2019504940.tif 000008
【図３Ｂ】
2019504940.tif 000009
【図４Ａ】
2019504940.tif 000010
【図４Ｂ】
2019504940.tif 000011
【図５】
2019504940.tif 000012
【図６】
2019504940.tif 000013
【図７】
2019504940.tif 000014
【図８Ａ】
2019504940.tif 000015
【図８Ｂ】
2019504940.tif 000016
【図８Ｃ】
2019504940.tif 000017
【図８Ｄ】
2019504940.tif 000018
【図８Ｅ】
2019504940.tif 000019
【図８Ｆ】
2019504940.tif 000020
【図８Ｇ】
2019504940.tif 000021
【図８Ｈ】
2019504940.tif 000022
【図８Ｉ】
2019504940.tif 000023
【図９】
2019504940.tif 000024
【図１０】
2019504940.tif 000025
【図１１】
2019504940.tif 000026
【図１２】
2019504940.tif 000027
【図１３】
2019504940.tif 000028
【図１４】
2019504940.tif 000029
【図１５】
2019504940.tif 000030
【図１６Ａ】
2019504940.tif 000031
【図１６Ｂ】
2019504940.tif 000032
【図１７Ａ】
2019504940.tif 000033
【図１７Ｂ】
2019504940.tif 000034
【図１８】
2019504940.tif 000035
【図１９Ａ】
2019504940.tif 000036
【図１９Ｂ】
2019504940.tif 000037
【図２０Ａ】
2019504940.tif 000038
【図２０Ｂ】
2019504940.tif 000039
【図２１Ａ】
2019504940.tif 000040
【図２１Ｂ】
2019504940.tif 000041
【図２１Ｃ】
2019504940.tif 000042
【図２２】
2019504940.tif 000043
【国際調査報告】
2019504940.tif 000044
2019504940.tif 000045
2019504940.tif 000046
2019504940.tif 000047
2019504940.tif 000048